(57)【要約】【課題】装着されるアクセサリに関わらず露光ムラを低減できる撮像装置を提供することを目的とする。【解決手段】撮像装置は、交信により、装着されたアクセサリから射出瞳位置に関する情報を取得できた場合は、該アクセサリによる射出瞳位置に基づいて開始タイミングを決定するよう電子シャッタ制御部を制御する一方、交信により、装着されたアクセサリから射出瞳位置に関する情報を取得できなかった場合は、格納部に格納された射出瞳位置に関する情報に基づいて開始タイミングを決定するよう電子シャッタ制御部を制御する制御部と、を備える。【選択図】図１
2012156916.tif 000002
【特許請求の範囲】
【請求項１】
交換レンズを含むアクセサリを装着可能なカメラボディであって、
装着されたアクセサリと交信を行う交信部と、
光学系を介して形成された被写体像を撮像して画像情報を出力する撮像センサと、
前記撮像センサの電荷蓄積の開始タイミングを制御する電子シャッタ制御部と、
予め決められた射出瞳位置に関する情報を格納する格納部と、
前記交信により、前記装着されたアクセサリから射出瞳位置に関する情報を取得できた場合は、該アクセサリによる射出瞳位置に基づいて前記開始タイミングを決定するよう前記電子シャッタ制御部を制御する一方、前記交信により、前記装着されたアクセサリから射出瞳位置に関する情報を取得できなかった場合は、前記格納部に格納された射出瞳位置に関する情報に基づいて前記開始タイミングを決定するよう前記電子シャッタ制御部を制御する制御部と、
を備えたカメラボディ。
【請求項２】
前記格納部に格納された射出瞳位置に関する情報が示す値は、前記カメラボディに装着可能なアクセサリを介して入射した光の前記撮像センサに対する入射角の統計値に基づく値である、
請求項１に記載のカメラボディ。
【請求項３】
前記格納部に格納された射出瞳位置に関する情報が示す値は、負の値である、
請求項１に記載のカメラボディ。
【請求項４】
交換レンズを含むアクセサリと、該アクセサリを装着可能なカメラボディとからなるカメラシステムであって、
前記カメラボディは、
装着されたアクセサリと交信を行う交信部と、
光学系を介して形成された被写体像を撮像して画像情報を出力する撮像センサと、
前記撮像センサの電荷蓄積の開始タイミングを制御する電子シャッタ制御部と、
予め決められた射出瞳位置に関する情報を格納する格納部と、
前記交信により、前記装着されたアクセサリから射出瞳位置に関する情報を取得できた場合は、該アクセサリによる射出瞳位置に基づいて前記開始タイミングを決定するよう前記電子シャッタ制御部を制御する一方、前記交信により、前記装着されたアクセサリから射出瞳位置に関する情報を取得できなかった場合は、前記格納部に格納された射出瞳位置に関する情報に基づいて前記開始タイミングを決定するよう前記電子シャッタ制御部を制御する制御部と、
を備えたカメラシステム。
【請求項５】
前記格納部に格納された射出瞳位置に関する情報が示す値は、前記カメラボディに装着可能なアクセサリを介して入射した光の前記撮像センサに対する入射角の統計値に基づく値である、
請求項４に記載のカメラシステム。
【請求項６】
前記格納部に格納された射出瞳位置に関する情報が示す値は、負の値である、
請求項４に記載のカメラシステム。
【発明の詳細な説明】
【技術分野】
【０００１】
本発明は撮像装置に関する。特に、装着されたアクセサリに応じて制御内容を設定する撮像装置に関する。
【背景技術】
【０００２】
一般に、カメラは、被写体像の露光時間を調節するために、光路開口用の先幕となるシャッタ手段を開くことにより露光を開始し、光路遮断用の後幕となるシャッタ手段を閉じることにより露光を終了させる。特許文献１に開示のカメラのように、最近のカメラでは、先幕として、撮像素子の各画素に蓄積された電荷のリセット動作である電子シャッタを採用し、後幕として光路を機械的に遮光するメカニカルシャッタを採用するものが出現してきている。
【０００３】
光路を開口あるいは光路を遮断する位置は、電子シャッタは撮像素子面、メカニカルシャッタはシャッタ面と異なる。そのため、電子シャッタによる先幕とメカニカルシャッタによる後幕により構成されたシャッタシステムを採用したカメラでは、射出瞳の位置による、入射角の影響などに起因して発生する露光ムラが問題となることがある。
【先行技術文献】
【特許文献】
【０００４】
【特許文献１】特開２００７−２５１３８２号公報
【発明の概要】
【発明が解決しようとする課題】
【０００５】
露光ムラの問題は、カメラに装着される交換レンズなどのアクセサリによってもその影響が異なる。射出瞳位置などの光学特性がわかる交換レンズがカメラに装着された場合であれば、その光学特性に合わせて露光ムラが低減するよう電子シャッタを設定することができる。しかし、マウントアダプタ等のアクセサリを介して、光学特性のわからない交換レンズがカメラに装着された場合は、その光学特性に合わせて露光ムラが低減するよう電子シャッタを設定することができなかった。
【０００６】
本発明は上記課題を鑑みてなされたものであり、装着されるアクセサリに関わらず露光ムラを低減できる撮像装置を提供することを目的とする。
【課題を解決するための手段】
【０００７】
上記課題を解決するために本発明の撮像装置は、交換レンズを含むアクセサリと、該アクセサリを装着可能なカメラボディとからなる撮像装置であって、カメラボディは、装着されたアクセサリと交信を行う交信部と、光学系を介して形成された被写体像を撮像して画像情報を出力する撮像センサと、撮像センサの電荷蓄積の開始タイミングを制御する電子シャッタ制御部と、予め決められた射出瞳位置に関する情報を格納する格納部と、交信により、装着されたアクセサリから射出瞳位置に関する情報を取得できた場合は、該アクセサリによる射出瞳位置に関する情報基づいて開始タイミングを決定するよう電子シャッタ制御部を制御する一方、交信により、装着されたアクセサリから射出瞳位置に関する情報を取得できなかった場合は、格納部に格納された射出瞳位置に関する情報に基づいて開始タイミングを決定するよう電子シャッタ制御部を制御する制御部と、を備える。
【発明の効果】
【０００８】
本発明によれば、装着されるアクセサリに関わらず露光ムラの発生を低減可能な撮像装置を提供することができる。
【図面の簡単な説明】
【０００９】
【図１】実施の形態１に係るデジタルカメラ１の構成図
【図２】実施の形態１に係るデジタルカメラ１の背面構成図
【図３】実施の形態１に係るフラッシュメモリ３１２が格納する電子先幕制御用テーブルを示すイメージ図
【図４】実施の形態１に係る電子先幕およびメカ後幕動作を示すイメージ図
【図５】実施の形態１に係る装着された交換レンズから射出瞳に関する情報が取得できた場合の動作フローチャート
【図６】実施の形態１に係る電子先幕開始タイミング制御を説明するための図
【図７】実施の形態１に係る装着された交換レンズから射出瞳に関する情報が取得できなかった場合の動作フローチャート
【発明を実施するための形態】
【００１０】
（実施の形態１）
実施の形態１に係るデジタカメラ１は、交信によって装着された交換レンズ３から射出瞳位置に関する情報が取得できなかった場合においても、予め決められた射出瞳位置に関する情報に基づいて、ＣＭＯＳセンサ２０１の電荷蓄積の開始タイミングを制御することができる。従って、デジタルカメラ１は、装着されるアクセサリに関わらず露光ムラの発生を低減可能となる。
【００１１】
以下、実施の形態１に係るデジタルカメラ１の構成および動作について図面を参照して説明する。
【００１２】
〔１．構成〕
〔１−１  全体構成の概要〕
まず、実施の形態１に係るデジタルカメラ１の全体構成の概要を説明する。図１は、本実施の形態に係るデジタルカメラ１の構成図である。
【００１３】
デジタルカメラ１は、カメラボディ２と、カメラボディ２に着脱可能な交換レンズ３とから構成される。また、カメラボディ２は、交換レンズ３から通知されるレンズデータに従って、各種レンズ制御を実行する。ここで、レンズデータとは、レンズ名称、Ｆナンバー、焦点距離、射出瞳等の交換レンズ３の特性値である。
【００１４】
カメラボディ２は、ＣＭＯＳセンサ２０１、メカシャッタ２０２、信号処理プロセッサ２０３（ＤＳＰ）、バッファメモリ２０４、液晶モニタ２０５、電子ビューファインダ２０６（ＥＶＦ）、電源２０７、ボディマウント２０８、フラッシュメモリ２０９、カードスロット２１０、カメラコントローラ２１１、レリーズボタン２１２、ストロボ２１３、マイク２１４、およびスピーカ２１５を備える。カメラボディ２は、カメラコントローラ２１１によって生成された制御信号をボディマウント２０８を介して交換レンズ３に送信可能に構成されている。また、カメラボディ２は、交換レンズ３からレンズデータをボディマウント２０８を介して受信可能に構成されている。
【００１５】
また交換レンズ３は、レンズマウント３０１、対物レンズ３０２、ズームレンズ３０３、フォーカスレンズ３０４を含むレンズ系、ズームレンズ３０３を駆動させるズーム駆動部３０５、フォーカスレンズ３０４を駆動させるフォーカス駆動部３０６、絞り３０７、絞り３０７を駆動させる絞り駆動部３０８、ズームリング３０９、フォーカスリング３１０、およびレンズコントローラ３１１と、レンズデータを記憶可能なフラッシュメモリ３１２とを備える。交換レンズ３は、フラッシュメモリ３１２から読み出したレンズデータを、レンズマウント３０１を介してカメラボディ２に送信可能に構成されている。また、交換レンズ３は、カメラボディ２から制御信号をレンズマウント３０１を介して受信可能に構成されている。ここで、フラッシュメモリ３１２には、後述するＣＭＯＳセンサ２０１の電子先幕制御用として、フォーカスレンズ３０４の位置、ズームレンズ３０３の位置、絞り３０７の絞り値に対応する射出瞳に関する情報をテーブルで持っている。図３は、フラッシュメモリ３１２が格納する電子先幕制御用テーブルを示すイメージ図である。後述するように、レンズコントローラ３１１は、フラッシュメモリ３１２から図３に示す電子先幕制御用テーブルをカメラコントローラ２１１に通知する。これにより、装着された交換レンズ３から射出瞳に関する情報を取得できた場合は、カメラコンローラ２１１は、装着された交換レンズ３に対応する射出瞳に関する情報に基づいて、ＣＭＯＳセンサ２０１の電子先幕開始タイミングを制御可能である。
【００１６】
〔１−２．  カメラボディ２の構成〕
図１を用いてカメラボディ２の構成を説明する。カメラボディ２は、交換レンズ３のレンズ系によって集光された被写体像を撮像して、画像データとして記録できるように構成されている。
【００１７】
ＣＭＯＳセンサ２０１は、受光素子と、ＡＧＣ（オート・ゲイン・コントロール）と、ＡＤコンバータを含んで構成される。受光素子は、レンズ系によって集光された光学的信号を電気信号に変換し、画像データを生成する。またＡＧＣは、受光素子から出力された電気信号を増幅するものである。ＡＤコンバータは、ＡＧＣから出力された電気信号をデジタル信号に変換するものである。なお、ＣＭＯＳセンサ２０１は、カメラコントローラ２１１から受信した制御信号に従って、露光、転送、電子シャッタなどの各種の動作を行う。
【００１８】
ＣＭＯＳセンサ２０１は、カメラコントローラ２１１から電子シャッタの制御信号を受信すると、画素ラインごとにそれまでに蓄積された不要な電荷を放出し、被写体像の露光を可能な状態とする。すなわち、ＣＭＯＳセンサ２０１は、蓄積電荷のリセット動作を実行する。このとき、交換レンズ３などを介して入射した光の光路がＣＭＯＳセンサ２０１に到達するまでに遮断されていなければ、リセット動作の完了タイミングが、被写体像の露光開始タイミングとなる。ＣＭＯＳセンサ２０１の画素ラインが上から、画素ライン１、画素ライン２、画素ライン３、・・・、画素ラインＮであるとき、ＣＭＯＳセンサ２０１は、画素ライン１から画素ラインＮまで順番に蓄積電荷のリセット動作を行う。従って、ＣＭＯＳセンサ２０１は、画素ラインごとに蓄積電荷のリセット動作を行なうタイミングを異ならせることができる。例えば、画素ライン１の蓄積電荷のリセット動作を行うタイミングから画素ライン２の蓄積電荷のリセット動作を行うタイミングまでの時間と、画素ライン２の蓄積電荷のリセット動作を行うタイミングから画素ライン３の蓄積電荷のリセット動作を行なうタイミングまでの時間とを異ならせることができる。画素ラインごとに蓄積電荷のリセット動作を行うタイミングを調節することにより、ＣＭＯＳセンサ２０１は、電子先幕の幕速特性を制御することができる。
【００１９】
メカシャッタ２０２は複数の羽が重なるようにしてなる幕体を有している。メカシャッタ２０２は、幕体を開閉させることにより、交換レンズ３を介して入射した光の光路の遮断と開口とを切り替える。メカシャッタ２０２の幕体の降下方向は、ＣＭＯＳセンサ２０１の画素ラインのライン方向と略垂直になっている。メカシャッタ２０２は、ＣＭＯＳセンサ２０１と、ボディマウント２０８との間に配置される。メカシャッタ２０２、不図示のシャッタチャージ機構とシャッタ駆動部により機械的に駆動される。メカシャッタ２０２は、電子シャッタに対して、メカニカルシャッタと呼ばれる。
【００２０】
シャッタ駆動部は、モータ、バネ等の機構部品からなり、カメラコントローラ２１１から供給される制御信号に従ってメカシャッタ２０２を駆動する。メカシャッタ２０２の幕体が開口状態になっているとき、シャッタ駆動部のバネ等の弾性力が蓄積された状態になっている。シャッタチャージ機構は、磁力などによりシャッタ駆動部のバネ等の弾性力を保持することができる。すなわち、メカシャッタ２０２の開口状態を保持することができる。シャッタチャージ機構は、カメラコントローラ２１１からの制御信号に従って磁力をチャージしたり、解除したりすることができる。シャッタチャージ機構により磁力が解除されると、シャッタ駆動部はバネの弾性力を開放し、メカシャッタ２０２の幕体を降下させ、入射光路を遮断させる。
【００２１】
図４は、電子先幕およびメカ後幕動作を示すイメージ図である。図４に示すように、ＣＭＯＳセンサ２０１による被写体像の露光時間は、電子シャッタのリセット機能によりＣＭＯＳセンサ２０１上の被写体像の露光を開始してから、メカシャッタ２０２により光路が遮断されるまでの時間である。つまり、カメラコントローラ２１１は、電子シャッタ機能の動作のタイミングと、メカシャッタ２０２の動作タイミングを制御することにより、露光時間を設定することができる。電子シャッタ機能により被写体像の露光が開始されるので、このとき電子シャッタは露光の先幕機能を有する。これを電子先幕と呼ぶことにする。同様に、メカシャッタ２０２により光路が遮断されるので、このときメカシャッタ２０２は露光の後幕機能を有する。これをメカ後幕と呼ぶことにする。なお、図４に示すように、メカシャッタ２０２がＣＭＯＳセンサ２０１において電荷蓄積される領域に達するまでには、助走期間が存在する。そのため、設定される露光時間によっては、メカ後幕は電子先幕よりも先に動作を開始する。
【００２２】
信号処理プロセッサ２０３（ＤＳＰ）は、ＡＤコンバータによってデジタル信号に変換された画像データに、所定の画像処理を施すものである。所定の画像処理としては、ガンマ変換、ＹＣ変換、電子ズーム処理、圧縮処理、伸張処理等が考えられるが、これに限られるものではない。また、信号処理プロセッサ２０３は、取得した画像の輝度情報に基づいて、記録動作の際の露光時間Ｅを演算することができる。
【００２３】
バッファメモリ２０４は、信号処理プロセッサ２０３で処理を行う際、および、カメラコントローラ２１１で制御処理を行う際に、ワークメモリとして作用する。バッファメモリ２０４は、例えば、ＤＲＡＭなどで実現可能である。
【００２４】
液晶モニタ２０５は、カメラボディ２の背面に配置されるものであり、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００２５】
電子ビューファインダ２０６は、カメラボディ２に配置されるものであり、ＣＭＯＳセンサ２０１で生成された画像データまたはその画像データに所定の処理が施された画像データを表示可能である。電子ビューファインダ２０６に入力される画像信号も同様に、信号処理プロセッサ２０３から電子ビューファインダ２０６に出力される際、ＤＡコンバータによってデジタル信号からアナログ信号に変換される。
【００２６】
ここで液晶モニタ２０５と電子ビューファインダ２０６への表示は、表示切替手段２１７によって、一方に表示されるようにしている。すなわち、液晶モニタ２０５に画像が表示されている間は、電子ビューファインダ２０６には何も表示されない。また、電子ビューファインダ２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダ２０６とが電気的に接続される。なお上記に限られず、表示切替手段２１７は、カメラコントローラ２１１などから制御信号に基づいて、液晶モニタ２０５と電子ビューファインダ２０６への表示の切り替えを行なってもよい。
【００２７】
電源２０７は、デジタルカメラ１で消費するための電力を供給する。電源２０７は、例えば乾電池であってもよいし、充電池であってもよい。また、電源２０７コードにより外部から供給される電力をデジタルカメラ１に供給するものであってもよい。
【００２８】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をカメラコントローラ２１１へ出力できるとともに、カメラコントローラ２１１からの信号を交換レンズ３のレンズコントローラ３１１に出力できる。すなわち、カメラコントローラ２１１は、交換レンズ３側のレンズコントローラ３１１と制御信号やレンズ系に関する情報などを送受信可能である。
【００２９】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にカメラコントローラ２１１の制御のためのプログラムや設定値などを記憶可能である。実施の形態１に係るデジタルカメラ１において、フラッシュメモリ２０９は、射出瞳に関する情報を取得できない交換レンズが装着された場合に、代替として予め決められた射出瞳に関する情報を格納している。この代替として予め決められた射出瞳に関する情報の示す値は、カメラボディ２に装着可能なアクセサリを介して入射した光の、ＣＭＯＳセンサ２０１に対する入射角の統計値に基づく値であってよいし、負の値の射出瞳位置になるように決められた値であってもよい。この代替として予め決められた射出瞳に関する情報が、カメラボディ２に装着可能なアクセサリを介して入射した光の、ＣＭＯＳセンサ２０１に対する入射角の統計値に基づく値であれば、カメラボディ２に装着されたアクセサリから射出瞳に関する情報を取得できない場合であっても、露光ムラを低減させるような電子先幕開始タイミングとなるように制御できる可能性が高い。また、代替として予め決められた射出瞳に関する情報が、負の値の射出瞳位置となるように決められた値の場合、一般に、カメラボディ２に装着可能な交換レンズは負の値の射出瞳位置であることが多いため、露光ムラを低減させるような電子先幕開始タイミングとなるように制御できる可能性が高い。ここで、射出瞳位置が負の値であるとは、撮像センサに対して光学系側に射出瞳位置があるということを意味する。また、射出瞳位置が正の値であるとは、撮像センサに対して、光学系側とは反対側に射出瞳位置があるということを意味する。
【００３０】
カードスロット２１０は、メモリカード２１８を着脱するためのスロットである。メモリカード２１８は、画像データまたはその画像データに所定の処理が施された画像データを記憶可能である。また、デジタル化された音声信号も記憶可能である。要するにメモリカード２１８は、記憶媒体である。
【００３１】
カメラコントローラ２１１は、カメラボディ２全体を制御するものである。カメラコントローラ２１１は、マイクロコンピュータで実現してもよく、ハードワイヤードな回路で実現してもよい。すなわち、カメラコントローラ２１１は、後述する本実施の形態１に係る制御動作などの各種の制御を実行する。
【００３２】
レリーズボタン２１２は、カメラボディ２の上面に設けられた釦であり、使用者からの半押しおよび全押し操作を検知する操作手段である。レリーズボタン２１２は、使用者から半押し操作を受け付けると、半押し信号をカメラコントローラ２１１に出力する。一方、レリーズボタン２１２は、使用者から全押し操作を受け付けると、全押し信号をカメラコントローラ２１１に出力する。これらの信号に基づいて、カメラコントローラ２１１は様々な制御を行なう。
【００３３】
ストロボ２１３は、カメラコントローラ２１１からの制御信号に基づいて、被写体に対して光の照射を行なうものである。例えば、ストロボ２１３は、キセノンランプやコンデンサ等を用いて実現できる。このように構成した場合、ストロボ２１３は、コンデンサに高電圧の電荷を蓄積しておき、この電荷をキセノンランプの電極に加えることによって、光の照射するようにしている。
【００３４】
マイク２１４は、音声を電気信号に変換するものである。このマイク２１４から出力された電気信号は、ＡＤコンバータによってデジタル信号に変換される。ＡＤコンバータで変換されたデジタル信号は、カメラコントローラ２１１の制御に従って、フラッシュメモリ２０９またはメモリカード２１８に記憶される。
【００３５】
スピーカ２１５は、電気信号を音声に変換するものである。ここでスピーカ２１５へ入力される電気信号は、ＤＡコンバータでデジタル信号から電気信号に変換されたものである。ＤＡコンバータへの出力は、カメラコントローラ２１１の制御によって、フラッシュメモリ２０９またはメモリカード２１８から読み出されたデジタル信号が出力される。
【００３６】
図２は、デジタルカメラ１の背面構成図である。デジタルカメラ１の背面には、液晶モニタ２０５と、選択釦２３１と、中央釦２３２とを備える。
【００３７】
選択釦２３１は、押下式の操作釦である。使用者は、選択釦２３１の上下方向のいずれかの釦を押下することにより、液晶モニタ２０５に表示される各種カーソルの表示を上下左右方向に移動することができる。
【００３８】
中央釦２３２は、押下式の操作釦である。再生モード時又は撮影モード時において、中央釦２３２が押下されると、液晶モニタ２０５は、それぞれのモードに応じた設定項目のメニュー画面を表示する。このとき、液晶モニタ２０５は、メニュー画面の所定の設定項目上にカーソルを表示する。使用者は、選択釦２３１を押下することでカーソルを移動させ、中央釦２３１を押下することにより選択釦２３１によって移動されたカーソルの示す設定項目の選択を決定する。
【００３９】
〔１−３．  交換レンズ３の構成〕
図１を用いて、交換レンズ３の構成を説明する。レンズ系は、対物レンズ３０２とズームレンズ３０３とフォーカスレンズ３０４とを含んで構成され、被写体からの光を集光する。ズームレンズ３０３は、ズーム駆動部３０５又はズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。要するに、フォーカスレンズ３０４やズームレンズ３０３は可動レンズである。
【００４０】
ズーム駆動部３０５は、レンズコントローラ３１１の制御にしたがって、レンズデータの示す駆動制御範囲内でズームレンズ３０３を駆動させるようにしたものである。また、フォーカス駆動部３０６は、レンズコントローラ３１１の制御にしたがって、レンズデータの示す駆動制御範囲内でフォーカスレンズ３０４を駆動させる。
【００４１】
絞り３０７は、レンズ系を通過してＣＭＯＳセンサ２０１に入射する光の量を調整するものである。例えば、光の調整は、５枚羽根などで構成される開口部を大きくしたり、小さくしたりすることで可能である。
【００４２】
絞り駆動部３０８は、レンズコントローラ３１１からの制御に基づいて、絞り３０７を駆動するようにしている。この場合、絞り駆動部３０８は、レンズコントローラ３１１から絞りを調整するための制御信号（絞り値又は駆動量）を取得する。これによって、絞り駆動部３０８は、この絞りを調整するための制御信号に応じて、レンズデータの示す駆動制御範囲内で絞りを駆動する。
【００４３】
ズームリング３０９は、交換レンズ３の外装に設けられ、使用者からの操作に応じて、ズームレンズ３０３を駆動させるものである。また、フォーカスリング３１０は、交換レンズ３の外装に設けられ、使用者からの操作に応じて、フォーカスレンズ３０４を駆動させるものである。
【００４４】
フラッシュメモリ３１２は、交換レンズ３のレンズ特性を表すレンズデータを記憶する。レンズデータとは、レンズの名称やＦ値、焦点距離、射出瞳値等などをカメラコントローラ２１１が認識可能な形態になっているデータを表す。フラッシュメモリ３１２には、図３に示すように、射出瞳位置に関する情報を格納している。ここでは、射出瞳位置に関する情報として、フラッシュメモリ３１２は、射出瞳位置の値を格納しているとする。射出瞳位置の値は、図３に示すように、横軸を焦点距離（ズームレンズ位置に対応）、縦軸を被写体距離（フォーカスレンズ位置に対応）としたテーブルで記載されており、また、このテーブルはＦ値ごとに別々の値を持つテーブルとなっている。このテーブルは、ＣＭＯＳセンサ２０１が電子先幕を制御するときに使用される。レンズコントローラ３１１は、フラッシュメモリ３１２からこの電子先幕制御用テーブルをカメラコントローラ２１１に通知する。これにより、装着された交換レンズ３から射出瞳に関する情報を取得できた場合は、カメラコントローラ２１１は、装着された交換レンズ３に対応する射出瞳に関する情報に基づいて、ＣＭＯＳセンサ２０１の電子先幕開始タイミングを制御可能である。
【００４５】
レンズコントローラ３１１は、交換レンズ３全体を制御するものである。レンズコントローラ３１１は、マイクロコンピュータで実現してもよく、ハードワイヤードな回路で実現してもよい。なお、レンズコントローラ３１１は、交換レンズ３がカメラボディ２に装着されると、フラッシュメモリ３１２に記憶されたレンズデータを読み出して、カメラコントローラ２１１に送信する。
【００４６】
〔１−４．本発明との対応関係〕
交換レンズ３は、本発明のアクセサリの一例である。カメラボディ２は、本発明のカメラボディの一例である。ボディマウント２０８とカメラコントローラ２１１とからなる構成は、本発明の交信部の一例である。ＣＭＯＳセンサ２０１は、本発明の撮像センサの一例である。カメラコントローラ２１１とＣＭＯＳセンサ２０１とからなる構成は、本発明の電子シャッタ制御部の一例である。フラッシュメモリ２０９は、本発明の格納部の一例である。カメラコントローラ２１１は、本発明の制御部の一例である。
【００４７】
〔２．動作〕
〔２−１．全体動作の概要〕
実施の形態１に係るデジタルカメラ１の全体動作の概要を説明する。
【００４８】
デジタルカメラ１の電源がＯＮされると、カメラボディ２と交換レンズ３との間でレンズ認証のための通信と、レンズ初期化のための通信を実行する。カメラコントローラ２１１は、装着された交換レンズから射出瞳に関する情報（例えば、電子先幕制御用テーブル）を取得できた場合は、取得した電子先幕制御用テーブルに基づいてＣＭＯＳセンサ２０１の電子先幕開始タイミングを制御する。また、カメラコントローラ２１１は、装着された交換レンズから射出瞳に関する情報（例えば、電子先幕制御用テーブル）を取得できなかった場合は、フラッシュメモリ２０９に格納された予め決められた射出瞳に関する値に基づいて、ＣＭＯＳセンサ２０１の電子先幕開始タイミングを制御する。
【００４９】
以下、装着された交換レンズから射出瞳に関する情報を取得できた場合、取得できなかった場合について、それぞれ図を用いて説明する。
【００５０】
〔２−２．装着された交換レンズから射出瞳に関する情報を取得できた場合の動作〕
図５は、装着された交換レンズから射出瞳に関する情報が取得できた場合の動作フローチャートである。図５用いて、射出瞳に関する情報が取得できた場合の、デジタルカメラ１の動作を説明する。
【００５１】
図５について説明を行なう。カメラボディ２に交換レンズ３を装着した状態で、使用者が、カメラボディ２の電源をＯＮすると、電源２０７は、ボディマウント２０８及びレンズマウント３０１を介して、交換レンズ３に電力を供給する（Ｓ１１）。次に、カメラコントローラ２１１は、レンズコントローラ３１１に対して、交換レンズ３の認証情報を要求する（Ｓ１２）。ここで、交換レンズ３の認証情報には、交換レンズ３が装着されているか否かに関する情報及びアクセサリが装着されているか否かに関する情報が含まれる。レンズコントローラ３１１は、カメラコントローラ２１１からのレンズ認証要求に応答する（Ｓ１３）。これにより、カメラコントローラ２１１は、レンズ認証を行う。
【００５２】
次に、カメラコントローラ２１１は、レンズコントローラ３１１に対して、初期化動作をするよう要求する（Ｓ１４）。これを受けて、レンズコントローラ３１１は、絞り３０７のリセット、フォーカスレンズ３０４のリセット等の初期化動作を行う（Ｓ１５）。そして、レンズコントローラ３１１は、カメラコントローラ２１１に対して、レンズ初期化動作が完了した旨を返信する（Ｓ１６）。これにより、カメラコントローラ２１１は、レンズの初期化を行う。
【００５３】
次に、カメラコントローラ２１１は、レンズコントローラ３１１に対して、レンズデータを要求する（Ｓ１７）。これを受けて、レンズコントローラ３１１は、フラッシュメモリ３１２から射出瞳に関するデータを含むレンズデータを読み出す（Ｓ１８）。そして、レンズコントローラ３１１は、カメラコントローラ２１１に対して、レンズデータの応答を行なう（Ｓ１９）。
【００５４】
カメラコントローラ２１１が、カメラボディ２に装着されている交換レンズ３のレンズデータを把握すると、撮像制御可能な状態になる。この状態では、カメラコントローラ２１１は、レンズコントローラ３１１に対して、交換レンズ３の状態を示すレンズ状態データを定期的に要求する（Ｓ２０）。レンズ状態データは、例えば、ズームレンズ３０３の位置情報、フォーカスレンズ３０４の位置情報、絞り３０７の絞り値情報などが含まれる。この要求に応えて、レンズコントローラ３１１は、カメラコントローラ２１１に対して、要求されたレンズ状態データを返信する（Ｓ２１）。
【００５５】
また、この状態から、デジタルカメラ１は、ＣＭＯＳセンサ２０１で生成した画像データが示す画像をスルー画像として液晶モニタ２０５に表示する制御モードで動作し得る。この制御モードをライブビューモードという。ライブビューモードでは、スルー画像が動画で液晶モニタ２０５に表示されるので、使用者は、液晶モニタ２０５を見ながら静止画像を撮像するための構図を決めることができる。このとき、露出やピントを調節するために、カメラコントローラ２１１は、ボディマウント２０８及びレンズマウント３０１を介して、レンズコントローラ３１１にフォーカスレンズ３０４や絞り３０７を駆動させるレンズ制御信号を通知する。このとき、カメラコントローラ２１１は、フォーカスレンズ３０４や、絞り３０７を上述した駆動制御可能な範囲にて、レンズ制御信号を生成することは言うまでもない。
【００５６】
この要求に応えて、レンズコントローラ３１１は、通知されたレンズ制御信号に基づいてフォーカスレンズ３０４や絞り３０７を駆動させる。レンズ制御信号には、例えば、駆動を要求するフォーカスレンズの目標距離情報、駆動を要求する絞りの目標絞り値情報などが含まれる。
【００５７】
デジタルカメラ１が撮像可能な状態にあるとき、カメラコントローラ２１１は、使用者によるレリーズボタン２１２の押下を受け付けて、記録動作に入る。このとき、レリーズボタンが半押し状態であれば、カメラコントローラ２１１は、被写体像にピントが合うようにレンズコントローラ３１１にフォーカスレンズ３０４を駆動するよう駆動制御信号を通知する。また、このときＣＭＯＳセンサ２０１にて撮像されている被写体像の輝度情報に基づいて、信号処理プロセッサ２０３は露光時間を演算する。レリーズボタンの半押し状態を越えて、全押し状態とされたとき、カメラコントローラ２１１は、信号処理プロセッサ２０３が演算した露光時間および、交換レンズから通知された電子先幕制御用テーブルに基づいて、ＣＭＯＳセンサ２０１の電子先幕開始タイミングを制御する（Ｓ２２）。すなわち、カメラコントローラ２１１は、レリーズボタンが全押された際は、交換レンズ３から取得した射出瞳に関する情報に基づいて電子先幕制御を行なう。
【００５８】
ここで、カメラコントローラ２１１によるＣＭＯＳセンサ２０１の電子先幕開始タイミングの制御動作について説明する。図６は、実施の形態１に係る電子先幕開始タイミング制御を説明するための図である。
【００５９】
図６において、カメラ内部における各距離を以下のように示すことにする。メカシャッタ２０２とＣＭＯＳセンサ２０１との間の距離をｘ（メカ後幕−電子先幕距離の値）と表す。また、ＣＭＯＳセンサ２０１の像面から射出瞳位置までの距離をｙ（射出瞳位置の値）と表す。ＣＭＯＳセンサ２０１の中心線からの増高をｚ（像高の値）と表す。メカシャッタ位置面と、射出瞳位置からＣＭＯＳセンサの増高ｚの位置とを結ぶ直線との交点の中心線からの高さをａ（遮光高の値）としている。露光時間をゼロとした場合、この射出瞳位置で、輝度ムラ無く露光を行なう為には、メカシャッタ２０２が中心線から上方へ距離ａの位置でＣＭＯＳセンサ２０１が電子先幕を開始させ、メカシャッタ２０２が中心線から下方へ距離ａの位置で電子先幕を終了させる制御が必要となる。ここで、メカシャッタ２０２が動作を開始してからＣＭＯＳセンサ２０１の像面に達するまでの距離を助走距離と称することにする。また、メカシャッタ２０２が走行動作を開始してから、中心線から上方へ距離ａの地点に達するまでの距離を開始点距離と称することにする。一方、メカシャッタ２０２が走行動作を開始してから、中心線から下方へ距離ａの地点に達するまでの距離を終了点距離と称することにする。従って、露光時間をゼロとした場合、輝度ムラなく露光を行うために、図６に示すように、メカシャッタ２０２が動作開始位置から開始点距離を走行した時点で、ＣＭＯＳセンサ２０１は電子先幕を開始させ、メカシャッタ２０２が動作開始位置から終了点距離を走行した時点で、ＣＭＯＳセンサ２０１は電子先幕を終了させる制御を実行する。
【００６０】
以下、カメラコントローラ２１１が射出瞳位置の値ｙを入手した場合における、遮光高の値ａの求め方を説明する。なお、ここで、メカ後幕−電子先幕距離の値ｘ、像高の値ｚは、予め内部データとしてフラッシュメモリ２０９に格納されている。また、フラッシュメモリ２０９は、メカシャッタ２０２の遮光動作速度に関する値や、メカシャッタ２０２が遮光動作を開始してから実際に遮光を開始するまでの助走距離に関する値を予め格納している。
【００６１】
このとき、メカ後幕−電子先幕距離の値ｘ、射出瞳位置の値ｙ、像高の値ｚ、遮光高の値ａとの間には、図３からもわかるように、以下の関係がある。
【００６２】
（ｙ−ｘ）：ｙ＝ａ：ｚ                                      …（式１）
ａ×ｙ  ＝ｙ×ｚ−ｘ×ｚ                              …（式２）
ａ      ＝ｚ−（ｚ×ｘ）／ｙ                          …（式３）
従って式３に、メカ後幕−電子先幕距離の値ｘ、射出瞳位置の値ｙ、像高の値ｚを代入すれば、遮光高の値ａが算出される。
【００６３】
カメラコントローラ２１１は、助走距離を予め把握可能であるため、遮光高の値ａが求まれば、開始点距離および終了点距離も把握可能である。従って、カメラコントローラ２１１は、フラッシュメモリ２０９からメカシャッタ２０２の遮光動作速度に関する値を読み出し、この遮光動作速度と開始点距離とにより、メカシャッタ２０２が遮光動作を開始してから中心線から上方へ距離ａに達するまでの時間を計算することが可能となる。すなわち、カメラコントローラ２１１は、電子先幕の開始タイミングを計算することが可能となる。同様に、カメラコントローラ２１１は、フラッシュメモリ２０９からメカシャッタ２０２の遮光動作速度に関する値を読み出し、この遮光動作速度と終了点距離とにより、メカシャッタ２０２が遮光動作を開始してから中心線から下方へ距離ａに達するまでの時間を計算することが可能となるすなわち、カメラコントローラ２１１は、電子先幕の終了タイミングを計算することが可能となる。
【００６４】
以上の計算は、露光時間がゼロであると仮定した場合についてのものであった。露光時間が一定時間Ｅある場合は、先の計算により求まった電子先幕の開始タイミングおよび終了タイミングを露光時間Ｅ分だけ遅らせればよい。
【００６５】
以上のように、装着された交換レンズから射出瞳位置に関する情報を取得できた場合は、カメラコントローラ２１１は、該射出瞳位置に関する情報に基づいて電子先幕の開始タイミングを制御することが可能となる。これにより、デジタルカメラ１は、露光ムラが低減された画像を取得することができる。
【００６６】
〔２−３．装着された交換レンズから射出瞳位置に関する情報を取得できなかった場合の動作〕
図７は、装着された交換レンズから射出瞳に関する情報が取得できなかった場合の、デジタルカメラ１の動作を説明する。装着された交換レンズ３が、カメラボディ２に非対応のレンズであったり、射出瞳に関する情報を保有していない場合、装着された交換レンズから射出瞳位置に関する情報が取得できない。以下の説明では、装着された交換レンズ３が、カメラボディ２に非対応のレンズであった場合についての、デジタルカメラ１の動作を説明する。
【００６７】
カメラボディ２に交換レンズ３を装着した状態で、使用者が、カメラボディ２の電源をＯＮすると、電源２０７は、ボディマウント２０８及びレンズマウント３０１を介して、交換レンズ３に電力を供給する（Ｓ３１）。次に、カメラコントローラ２１１は、レンズコントローラ３１１に対して、交換レンズ３の認証情報を要求する（Ｓ３２）。このとき、装着された交換レンズ３は、カメラボディ２に非対応のレンズであるため、カメラコントローラ２１１は、交換レンズ３から認証応答を受けない。そのため、カメラコントローラ２１１は、一定期間、認証情報を要求しても応答がない場合、非対応のレンズであると認識する。続いて、カメラコントローラ２１１は、レンズコントローラ３１１に対して、交換レンズの初期化動作を要求する（Ｓ３３）。このときも同様に、装着された交換レンズ３は、カメラボディ２に非対応のレンズであるため、カメラコントローラ３１１は、交換レンズ３からレンズ初期化完了応答を受けない。そのため、カメラコントローラ２１１は、一定期間、レンズ初期化完了応答を受けない場合、レンズ初期化要求をスキップする。
【００６８】
次に、カメラコントローラ２１１は、レンズコントローラ３１１に対して、レンズデータ要求（Ｓ３４）を行なう。このときも同様に、装着された交換レンズ３は、カメラボディ２に非対応のレンズであるため、カメラコントローラ２１１は、交換レンズ３からレンズデータ応答を受けない。そのため、カメラコントローラ２１１は、一定期間、レンズデータを要求しても応答がない場合、レンズからの応答が無いことを認識し、射出瞳に関する情報が無いことを把握する（Ｓ３５）。
【００６９】
このとき、カメラコントローラ２１１は、装着された交換レンズ３のレンズデータを把握していなく、レンズ制御を行うこともできない。しかし、交換レンズ３を介してＣＭＯＳセンサ２０１に結像される被写体像の撮像は可能であるため、カメラコントローラ２１１は、撮像制御可能な状態になる。
【００７０】
デジタルカメラ１が撮像可能な状態にあるとき、カメラコントローラ２１１は、使用者によるレリーズボタン２１２の押下を受け付けて、記録動作に入る。レリーズボタンの半押し状態を越えて、全押し状態とされたとき、カメラコントローラ２１１は、信号処理プロセッサ２０３が演算した露光時間および、フラッシュメモリ２０９に格納されている射出瞳に関する情報に基づいて、ＣＭＯＳセンサ２０１の電子先幕開始タイミングを制御する（Ｓ３６）。すなわち、カメラコントローラ２１１は、レリーズボタンが全押された際は、フラッシュメモリ２０９から取得した射出瞳に関する情報に基づいて電子先幕制御を行なう。
【００７１】
ここで、メカ後幕−電子先幕距離の値ｘ、像高の値ｚは、予め内部データとしてフラッシュメモリ２０９に格納されている。射出瞳位置の値ｙとして、フラッシュメモリ２０９から取得した射出瞳に関する情報を採用すれば、式３により、遮光高の値ａが算出される。
【００７２】
カメラコントローラ２１１は、助走距離を予め把握可能であるため、遮光高の値ａが求まれば、開始点距離および終了点距離も把握可能である。従って、カメラコントローラ２１１は、フラッシュメモリ２０９からメカシャッタ２０２の遮光動作速度に関する値を読み出し、この遮光動作速度と開始点距離とにより、メカシャッタ２０２が遮光動作を開始してから中心線から上方へ距離ａに達するまでの時間を計算することが可能となる。すなわち、カメラコントローラ２１１は、電子先幕の開始タイミングを計算することが可能となる。同様に、カメラコントローラ２１１は、フラッシュメモリ２０９からメカシャッタ２０２の遮光動作速度に関する値を読み出し、この遮光動作速度と終了点距離とにより、メカシャッタ２０２が遮光動作を開始してから中心線から下方へ距離ａに達するまでの時間を計算することが可能となるすなわち、カメラコントローラ２１１は、電子先幕の終了タイミングを計算することが可能となる。
【００７３】
以上の計算は、露光時間がゼロであると仮定した場合についてのものであった。露光時間が一定時間Ｅある場合は、先の計算により求まった電子先幕の開始タイミングおよび終了タイミングを露光時間Ｅ分だけ遅らせればよい。
【００７４】
以上のように、装着された交換レンズから射出瞳位置に関する情報を取得できなかった場合は、カメラコントローラ２１１は、フラッシュメモリ２０９に予め格納された射出瞳位置に関する情報に基づいて電子先幕の開始タイミングを制御することが可能となる。これにより、デジタルカメラ１は、露光ムラが低減された画像を取得することができる。
〔まとめ〕
以上説明したように、実施の形態１に係るデジタルカメラ１は、交換レンズ３を含むアクセサリと、該アクセサリを装着可能なカメラボディ２とからなるデジタルカメラであって、カメラボディ２は、装着されたアクセサリと交信を行う交信部（ボディマウント２０８とカメラコントローラ２１１とからなる構成）と、光学系を介して形成された被写体像を撮像して画像情報を出力するＣＭＯＳセンサ２０１と、ＣＭＯＳセンサ２０１の電荷蓄積の開始タイミングを制御する電子シャッタ制御部（カメラコントローラ２１１とＣＭＯＳセンサ２０１とからなる構成）と、予め決められた射出瞳位置に関する情報を格納するフラッシュメモリ２０９と、交信により、装着されたアクセサリから射出瞳位置に関する情報を取得できた場合は、該アクセサリによる射出瞳位置に基づいて開始タイミングを決定するよう電子シャッタ制御部を制御する一方、交信により、装着されたアクセサリから射出瞳位置に関する情報を取得できなかった場合は、フラッシュメモリ２０９に格納された射出瞳位置に関する情報に基づいて前記開始タイミングを決定するよう電子シャッタ制御部を制御する制御部（カメラコントローラ２０１）と、を備える。
【００７５】
これにより、デジタルカメラ１は、交信によって装着された交換レンズ３から射出瞳位置に関する情報が取得できなかった場合においても、予め決められた射出瞳位置に関する情報に基づいて、ＣＭＯＳセンサ２０１の電荷蓄積の開始タイミングを制御することができる。従って、デジタルカメラ１は、装着されるアクセサリに関わらず露光ムラの発生を低減可能となる。
【００７６】
また、実施の形態１に係るデジタルカメラ１において、フラッシュメモリ２０９に格納された射出瞳位置に関する情報が示す値は、カメラボディ２に装着可能な交換レンズ３を介して入射した光のＣＭＯＳセンサ２０１に対する入射角の統計値に基づく値である。これにより、デジタルカメラ１は、入射角の統計値に基づいてＣＭＯＳセンサ２０１の電荷蓄積の開始タイミングを制御することができるため、装着されるアクセサリに関わらず露光ムラの発生を低減可能である。
【００７７】
また、実施の形態１に係るデジタルカメラ１において、フラッシュメモリ２０９に格納された射出瞳位置に関する情報が示す値は、負の値である。デジタルカメラに装着可能な交換レンズは、負の射出瞳位置を有する場合が多いため、これによりデジタルカメラ１は、装着されるアクセサリに関わらず露光ムラの発生を低減可能である。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００７８】
上記実施の形態１では、受光素子、ＡＧＣ、ＡＤコンバータを備えるＣＭＯＳセンサで構成した。しかし、これに限られず、例えば、撮像手段は、被写体像を撮像して、画像データ（デジタル信号又は電気信号）を生成でき、電子先幕動作する撮像センサであれば、他の撮像センサであってもかまわない。なお、ＣＭＯＳセンサで構成した場合、消費電力を減らすことができる。
【００７９】
上記実施の形態１では、電子先幕が上方から下方に走査する場合を説明しているが、逆に下方から上方に走査しても構わない。なお、この際はメカシャッタの駆動も下方から上方となることが望ましい。
【００８０】
上記実施の形態１では、射出瞳位置の値は、横軸を焦点距離（ズームレンズ位置に対応）、縦軸を被写体距離（フォーカスレンズ位置に対応）としたテーブルで記載されているとしたが、本発明はこれに限定されない。すなわち、射出瞳位置の値は、焦点距離（ズームレンズ位置に対応）のワイド端／テレ端、被写体距離（フォーカスレンズ位置に対応）の近至／無限遠のデータのみを持ち、その間の値は補間演算により求める方法であっても、本発明に適用可能である。或いは、焦点距離（ズームレンズ位置に対応）、又は被写体距離（フォーカスレンズ位置に対応）と射出瞳位置との関係を表す近似式を設定し、現在の焦点距離あるいは被写体距離に対する射出瞳位置を計算により求める方法であっても、本発明に適用可能である。
【００８１】
上記実施の形態１では、射出瞳位置値をレンズデータとして保持しているが、射出瞳位置値以外であっても、レンズの射出瞳位置が分かるデータであれば、本発明に適用可能である。例えば、射出瞳位置に関するデータとして、レンズへの光入射角データ等を保持したものであっても、本発明に適用可能である。
【００８２】
上記実施の形態１では、交換レンズから一括で射出瞳データを取得しているが、本発明はこれに限定されない。すなわち、カメラコントローラ２０１は、現在の焦点距離（ズームレンズ位置に対応）や、被写体距離（フォーカスレンズ位置に対応）に応じて、射出瞳位置に関する情報を定期的に交換レンズから取得するように構成しても、本発明を適用可能である。
【００８３】
メカシャッタとして、メカ先幕／メカ後幕を両備するシャッタであっても、メカ先幕を使用せず、メカ後幕のみを使用し、電子先幕と組み合わせる構成も、本発明を適用可能である。
【００８４】
上記実施の形態においては、装着された交換レンズ３から射出瞳に関する情報を取得できなかった場合、フラッシュメモリ２０９に予め格納された射出瞳に関する情報を電子先幕開始タイミング制御に用いた。フラッシュメモリ２０９に予め格納された射出瞳に関する情報は、統計的に許容範囲内となる可能性の高い射出瞳情報であるが、好適な条件からはややズレた情報となっている場合がある。その場合を配慮して、使用者が操作ボタン等を操作することにより、射出瞳位置を微調整可能なようにしてもよい。このとき、射出瞳位置の値の正負を反転させるだけの操作であってもよい。
【００８５】
上記実施の形態では、アクセサリとして交換レンズの場合を説明したが、本発明はこれに限定されない。すなわち、アクセサリは、マウントアダプタであってもよい。特に、マウントアダプタをカメラボディに装着する場合、カメラコントローラ２０１は、装着されるレンズの素性が不明の場合が多い。すなわち、カメラコントローラ２０１は、射出瞳位置に関する情報が把握できない。このとき、カメラコントローラ２０１は、フラッシュメモリ２０９に予め格納された射出瞳位置に関する情報に基づいて電子先幕の開始タイミングを制御する。これにより、デジタルカメラ１は、露光ムラが低減された画像を取得することができる。
【産業上の利用可能性】
【００８６】
本発明はデジタルカメラ１への適用に限定されず、電子先幕とメカ後幕を組み合わせた撮影システムであれば適用可能である。
【符号の説明】
【００８７】
１    デジタルカメラ
２    カメラボディ
３    交換レンズ
２０１    ＣＭＯＳセンサ
２０２    シャッタ
２０３    信号処理プロセッサ
２０４    バッファメモリ
２０５    液晶モニタ
２０６    電子ビューファインダ
２０７    電源
２０８    ボディマウント
２０９    フラッシュメモリ
２１０    カードスロット
２１１    カメラコントローラ
２１２    レリーズボタン
２１８    メモリカード
３０１    レンズマウント
３０４    フォーカスレンズ
３０６    フォーカス駆動部
３０７    絞り
３０８    絞り駆動部
３１１    レンズコントローラ
３１２    フラッシュメモリ
【図１】
2012156916.tif 000003
【図２】
2012156916.tif 000004
【図３】
2012156916.tif 000005
【図４】
2012156916.tif 000006
【図５】
2012156916.tif 000007
【図６】
2012156916.tif 000008
【図７】
2012156916.tif 000009